(57)【要約】【課題】紐の締緩手段を提供する。【解決手段】ベースと、ベースに組み付け、ベースとの間に収容空間が形成され、開口と複数のスロットを有する環状部材と、前記収容空間の中に枢設され、第１の結合部を有する紐の締緩部材と、収容空間に枢設され、第１の結合部と互いに結合する第２の結合部と、スロットに当接されて紐の締緩部材の第１の方向への回転を阻止する当接端、及びバンプを有する少なくとも１つの弾性アームと、第１の組合部と、を含む連動部材と、ベースに組み付けられ、且つ当接端をスロットから逸脱させるように、第１の方向に回転してバンプを押し、当接端をスロットの間に切り替えさせるように第２の方向に回転して連動する第２の組合部を有するカバーと、を備える紐の締緩手段。正逆方向に回転の操作によって紐を締め付けや緩んで更に調節することができ、且つ外力による操作がない場合、紐の逆方向の緩みを防止することができる。【選択図】図１
2016539750.tif 000002
【特許請求の範囲】
【請求項１】
２つの紐孔を有するベースと、
前記ベースに組み付けられ、前記ベースとの間に紐孔と連通する収容空間が形成され、開口と開口を取り巻く複数のスロットを有する環状部材と、
前記収容空間に枢設され、第１の結合部を有する紐の締緩部材と、
前記収容空間に枢設され、前記第１の結合部と互いに結合する第２の結合部と、その中の１つの前記スロットに当接されて前記紐の締緩部材の第１の方向への回転を阻止する当接端、及び前記当接端に隣接するバンプを有する少なくとも１つの弾性アームと、第１の組合部と、を含み、前記バンプと前記第１の組合部とが前記開口内に位置する連動部材と、
前記ベースに回転可能に組み付けられ、前記環状部材を覆い、前記第１の組合部と組み合わせ、且つ前記当接端を前記スロットから逸脱させるように、前記第１の方向に回転して前記バンプを押し、前記当接端を前記スロットの間に切り替えさせるように前記第２の方向に回転して連動する第２の組合部を有するカバーと、
を備える紐の締緩手段。
【請求項２】
前記紐の締緩部材は、環状レールを有し、且つ前記２つの紐孔が前記環状レールに対応して前記収容空間と連通する請求項１に記載の紐の締緩手段。
【請求項３】
前記第２の結合部は、前記第１の組合部に対応し、前記弾性アームが前記第２の結合部と前記第１の組合部との一側に位置する請求項１に記載の紐の締緩手段。
【請求項４】
前記弾性アームは、数が４つであり、且つ前記第２の結合部と前記第１の組合部を均一に取り巻く請求項３に記載の紐の締緩手段。
【請求項５】
２つの紐孔を有するベースと、
前記ベースに組み付けられ、前記ベースとの間に前記紐孔と連通する収容空間が形成され、開口と、前記開口を取り巻く複数のスロットと、を有する環状部材と、
前記収容空間に収容され、環状レールと、第１の結合部と、を有する紐の締緩部材と、
前記収容空間に収容され、第１の結合部と互いに結合する第２の結合部と、前記第２の結合部に対応する第１の組合部と、前記第２の結合部と前記第１の組合部を均一に取り巻き、前記スロットに当接されて前記紐の締緩部材が第１の方向へ回転するを阻止する当接端、及び前記当接端に隣接するバンプを有する複数の弾性アームと、を含み、前記バンプと第１の組合部とが開口内に位置する連動部材と、
前記ベースに回転可能に組み付けられ、前記環状部材を覆い、前記第１の組合部と組み合わせる第２の組合部を有するカバーと、
を備え、
２つの前記紐孔が環状レールに対応して、前記収容空間と連通し、前記カバーが前記第１の方向へ回転すると、前記第２の組合部が前記バンプを押して前記当接端を前記スロットから逸脱させ、前記カバーが前記第２の方向へ回転すると、前記当接端が連動されて前記スロットの間に切り替える紐の締緩手段。
【請求項６】
前記紐の締緩部材の環状レール内に、靴紐を締め付けや緩める請求項５に記載の紐の締緩手段。
【請求項７】
前記紐の締緩部材の環状レール内に、ヘルメット用結び紐を締め付けや緩める請求項５に記載の紐の締緩手段。
【請求項８】
前記紐の締緩部材の環状レール内に、手袋又は束縛手袋結び紐を締め付けや緩める請求項５に記載の紐の締緩手段。
【請求項９】
前記紐の締緩部材の環状レール内に、ズボン結び紐を締め付けや緩める請求項５に記載の紐の締緩手段。
【請求項１０】
前記紐の締緩部材の環状レール内に、帽子結び紐を締め付けや緩める請求項５に記載の紐の締緩手段。
【請求項１１】
前記紐の締緩部材と前記連動部材とは、一体的に連結される請求項５に記載の紐の締緩手段。
【発明の詳細な説明】
【技術分野】
【０００１】
本発明は、締緩手段に関し、特に、紐の締緩手段に関する。
【背景技術】
【０００２】
スポーツ靴とは、文字通り、特に、スポーツに向けて設計される靴であり、足取りの安定性を保持するための硬い踵保護カバーがあり、また、着用時の快適性と透気度のために、常に靴の前皮と透気つま革が設けられる。スポーツ靴は、自体の便利性、機能性及び快適性で、殆ど老幼男女が外出する場合の優先順位の選択になっている。
【０００３】
一般的には、歩行又はスポーツを行う場合に、足が靴内で滑べることでけがをすることを防止するために、スポーツ靴では、靴本体と足との間の密着度の調節を特に注目するようになり、従来、常に例えば、靴紐、ゴム紐、ファスナー又はマジックテープ（登録商標）等によって、この目的を達成する。しかしながら、マジックテープ（登録商標）は、バーブエッジにふけや塵埃を付着しやすいと共に、多回に千切って貼り付けした後で疲れやすいので、実用性が悪いが、ファスナーは、調節幅が小さく、固定性が悪いが、ゴム紐では、耐候性が悪いので、時間につれてますます硬化されて機能を失ってしまう。このため、市販のスポーツ靴の多くは、相変わらず靴紐型である。
【０００４】
ただ、靴紐を結ばない子供にとって、靴紐がよく結ばれないので緩みになる状況がよくある問題であり、体力が衰えた老人にとって、しゃがんで靴紐を結ぶ動作も常に迷惑になる。最も重要なことは、一部の激しい又は特殊なスポーツ、例えば、バスケットボール、テニス、岩登り、スケートボード等の場合において、一旦、靴紐が緩みになるか又は靴紐の残り長さが長すぎると、足が移動する途中、常に足を取られ、又は外部異物に引かれやすく、更に危険が発生することがあり、スポーツを職業とする選手たちにとって、大きな脅威となっている。
【発明の概要】
【発明が解決しようとする課題】
【０００５】
従って、本発明の一態様は、正逆方向に回転の操作形態によって紐を締め付けや緩んで更に調節することができ、且つ外力による操作がない場合、紐の逆方向の緩みを防止でき、従来の靴紐を結ばなければいけない面倒はなく、過去の靴紐の緩み又は残り長さが長すぎることによる危ない状況を効果的に避けることができる紐の締緩手段を提供する。
【課題を解決するための手段】
【０００６】
本発明の一実施形態によると、２つの紐孔を有するベースと、ベースに組み付けられ、ベースとの間に紐孔と連通する収容空間が形成され、開口と、開口を取り巻く複数のスロットと、を有する環状部材と、収容空間に枢設され、第１の結合部を有する紐の締緩部材と、収容空間に枢設され、第１の結合部と互いに結合する第２の結合部と、その中の１つのスロットに当接されて紐の締緩部材の第１の方向への回転を阻止する当接端、及び当接端に隣接するバンプを有する少なくとも１つの弾性アームと、第１の組合部と、を含み、第１の組合部とバンプとが開口内に位置する連動部材と、ベースに回転可能に組み付けられ、環状部材を覆い、第１の組合部と組み合わせ、且つ当接端をスロットから逸脱させるように、第１の方向に回転してバンプを押し、当接端をスロットの間に切り替えさせるように第２の方向に回転して連動する第２の組合部を有するカバーと、を備える紐の締緩手段を提供する。
【０００７】
本発明の１つの実施例によると、紐の締緩部材は、環状レールを有してもよく、且つ紐孔が環状レールに対応して、収容空間と連通してもよい。また、第２の結合部は、第１の組合部に対応してもよい。弾性アームは、第２の結合部と第１の組合部との一側に位置してもよく、数が４つであってよく、且つ第２の結合部と第１の組合部を均一に取り巻いてよい。
【０００８】
本発明の別の実施形態によると、２つの紐孔を有するベースと、ベースに組み付けられ、ベースとの間に紐孔と連通する収容空間が形成され、開口と、開口を取り巻く複数のスロットと、を有する環状部材と、収容空間に収容され、環状レールと、第１の結合部と、を有する紐の締緩部材と、収容空間に収容され、第１の結合部と互いに結合する第２の結合部と、第２の結合部に対応する第１の組合部と、第２の結合部と第１の組合部を均一に取り巻き、スロットに当接されて紐の締緩部材が第１の方向へ回転するのを阻止する当接端、及び当接端に隣接するバンプを有する複数の弾性アームと、を含み、バンプと第１の組合部とが開口内に位置する連動部材と、ベースに回転可能に組み付けられ、環状部材を覆い、第１の組合部と組み合わせるカバーと、を備え、紐孔が環状レールに対応して、収容空間と連通し、カバーが第１の方向へ回転すると、第２の組合部がバンプを押して当接端をスロットから逸脱させ、カバーが第２の方向へ回転すると、当接端が連動されてスロットの間に切り替える第２の組合部を有する紐の締緩手段を提供する。
【０００９】
本発明の別の実施例によると、前記紐の締緩部材の環状レール内に、靴紐を締め付けや緩める。
【００１０】
本発明の別の実施例によると、前記紐の締緩部材の環状レール内に、ヘルメット用結び紐を締め付けや緩める。
【００１１】
本発明の別の実施例によると、前記紐の締緩部材の環状レール内に、手袋又は束縛手袋結び紐を締め付けや緩める。
【００１２】
本発明の別の実施例によると、前記紐の締緩部材の環状レール内に、ズボン結び紐を締め付けや緩める。
【００１３】
本発明の別の実施例によると、前記紐の締緩部材の環状レール内に、帽子結び紐を締め付けや緩める。
【００１４】
本発明の別の実施例によると、前記紐の締緩部材と前記連動部材とは、一体的に連結される。
【００１５】
本発明の更に他の実施形態は、前記各実施形態に係る紐の締緩部材と連動部材とを一体的に連結するように製造可能な紐の締緩手段を提供する。これにより、部材の数を少なくすることができるだけではなく、且つ本発明の機構強度を増して、全体耐用回数を向上させることができる。
【図面の簡単な説明】
【００１６】
【図１】本発明の一実施形態に係る紐の締緩手段を示す分解図である。
【図２】図１に示す紐の締緩手段を別の視角から示す分解図である。
【図３】図１に示す紐の締緩手段を示す斜視図である。
【図４】図１に示す紐の締緩手段を示す断面図である。
【図５】図１に示す紐の締緩手段を示す透視図である。
【図６】図１に示す紐の締緩手段を示す部分透視図である。
【図７】図１に示す紐の締緩手段を示す部分適用模式図である。
【図８】本発明の更に他の実施形態に係る紐の締緩手段を示す分解図である。
【図９】図８に示す紐の締緩手段を示す断面図である。
【発明を実施するための形態】
【００１７】
図１および図２を参照する。図１は、本発明の一実施形態に係る紐の締緩手段を示す分解図である。図２は、図１に示す紐の締緩手段を別の視角から示す分解図である。図面に示すように、紐の締緩手段は、ベース１００と、環状部材２００と、紐の締緩部材３００と、連動部材４００と、カバー５００と、を備える。
【００１８】
ベース１００は、２つの紐孔１１０を有する。環状部材２００は、開口２１０と、開口２１０を取り巻く複数のスロット２２０と、を有する。紐の締緩部材３００は、第１の結合部３１０と、環状レール３２０と、を有する。連動部材４００は、第２の結合部４１０と、４つの弾性アーム４２０と、第１の組合部４３０と、を含む。各弾性アーム４２０は、隣接する当接端４２１及びバンプ４２２を有する。第２の結合部４１０は、第１の組合部４３０に対応し、弾性アーム４２０は第２の結合部４１０と第１の組合部４３０を均一に取り巻く。より具体的には、第２の結合部４１０、弾性アーム４２０及び第１の組合部４３０は、一体的に接続されて成型され、第２の結合部４１０と第１の組合部４３０とが互いに隣接し、弾性アーム４２０が第２の結合部４１０と第１の組合部４３０との隣接部の一側に第２の結合部４１０と第１の組合部４３０を均一に取り巻く。カバー５００は、第２の組合部５１０を有する。
【００１９】
図３および図４を合わせて参照する。図３は、図１に示す紐の締緩手段を示す斜視図である。図４は、図１に示す紐の締緩手段を示す断面図である。図面に示すように、環状部材２００は、ベース１００に組み付けられ、ベース１００との間に収容空間６００が形成される。紐の締緩部材３００と連動部材４００とは、何れも収容空間６００内に収容され、連動部材４００が第２の結合部４１０によって紐の締緩部材３００の第１の結合部３１０と互いに結合する。より具体的には、紐の締緩部材３００と連動部材４００とは、何れも収容空間６００内に枢設される。第２の結合部４１０と第１の結合部３１０とは、互いに噛み合うように結合する。また、カバー５００は、環状部材２００を覆い、回転可能にベース１００に組み付けられる。本実施形態では、ベース１００、環状部材２００、紐の締緩部材３００、連動部材４００及びカバー５００は、同軸で設置されるが、これに限定されない。
【００２０】
続いて図５および図６を参照する。図５は、図１に示す紐の締緩手段を示す透視図である。図６は、図１に示す紐の締緩手段を示す部分透視図である。図面に示すように、ベース１００の紐孔１１０は、環状レール３２０に対応して、収容空間６００と連通する。より具体的には、紐孔１１０は、環状レール３２０に対向するが、これに限定されない。紐孔１１０と収容空間６００とが連通し、更に、紐が紐孔１１０を貫通して収容空間６００内に枢設される紐の締緩部材３００に固定さればよい。
【００２１】
連動部材４００の第１の組合部４３０と各弾性アーム４２０のバンプ４２２とは、何れも環状部材２００の開口２１０内に位置する。各弾性アーム４２０の当接端４２１は、スロット２２０に当接される。カバー５００の第２の組合部５１０と連動部材４００の第１の組合部４３０とは、組み合わせる。より具体的には、カバー５００の第２の組合部５１０は、連動部材４００に嵌入される第１の組合部４３０に対応する。これにより、カバー５００が正方向に回転すると、連動部材４００はカバー５００に連動するが、カバー５００が逆方向に回転すると、カバー５００は先に空回りプロセスに入る。つまり、カバー５００の空回りプロセス中、連動部材４００がカバー５００に連動することはない。
【００２２】
利用者がカバー５００を正方向に回転させる場合、カバー５００の第２の組合部５１０は、連動部材４００の第１の組合部４３０を押し、更に連動部材４００を正方向に回転させるように駆動する。連動部材４００の回動に従い、連動部材４００と結合関係のある紐の締緩部材３００もそれに従って正方向に回転する。この時、両端が紐の締緩部材３００に固定される紐は、１段階ずつ締め付けることができる。より具体的には、カバー５００が第２の方向Ｒ２へ回転すると、連動部材４００は、カバー５００に連動して共に回転し、各弾性アーム４２０の当接端４２１がスロット２２０の間で転換して切り替える。
【００２３】
カバー５００が静止する場合、連動部材４００の各弾性アーム４２０の当接端４２１がスロット２２０に当接され、連動部材４００の第２の結合部４１０と紐の締緩部材３００の第１の結合部３１０とが互いに結合するため、紐の締緩部材３００は、両端がその上に固定される紐を引っ張ることで、逆方向に回転することはできない。より具体的には、当接端４２１とスロット２２０との当接により、紐の締緩部材３００の第１の方向Ｒ１への回転が阻止されるので、外力による操作がない場合、紐の締緩手段によって紐の逆方向の緩みを効果的に防止することができる。当接端４２１とスロット２２０とは、例えば、単はすばと単はすばピッチとの組み合わせ等によって配置される。
【００２４】
一方、利用者がカバー５００を逆方向に回転させる場合、カバー５００の空回りプロセス中、カバー５００の第２の組合部５１０は、各弾性アーム４２０のバンプ４２２を押しつつあり、更に各当接端４２１をスロット２２０から逸脱させつつある。より具体的には、カバー５００が第１の方向Ｒ１へ回転すると、カバー５００の第２の組合部５１０は、各弾性アーム４２０のバンプ４２２を押して、各当接端４２１をスロット２２０から逸脱させる。このように、紐の締緩部材３００が逆方向に回転し、紐を緩める目的を達成することができる。
【００２５】
図７を参照されたい。図７は、図１に示す紐の締緩手段を示す部分適用模式図である。図面に示すように、締緩しようとする紐が先にベース１００の紐孔１１０を貫通し、紐の両端を紐の締緩部材３００に固定して、紐の締緩部材３００を収容空間６００内に枢設してもよい。これにより、カバー５００と、連動部材４００と、紐の締緩部材３００との連動関係によって、紐の締緩部材３００を正逆方向に回転させ、更に紐を環状レール３２０に沿って締め付けや緩めることができる。
【００２６】
最後に、図８を図９と共に参照されたい。図８は、本発明の更に他の実施形態に係る紐の締緩手段を示す分解図である。図９は、図８に示す紐の締緩手段を示す断面図である。本発明の更に他の実施形態は、同様にベース１００と、環状部材２００と、紐の締緩部材３００と、連動部材４００と、カバー５００と、を備える紐の締緩手段を提供するが、本実施形態では、特に前記連動部材４００と紐の締緩部材３００とを一体的に射出した部品に取り入れる。このように、部材の数を少なくすることができるだけではなく、より重要なのは、連動部材４００と紐の締緩部材３００とが一体的に連結する射出部材に取り入れられた後、本発明の連動部材４００の機構強度を増して、連動部材４００が作動コアに位置する場合の全体耐用回数を向上させることができる。
【００２７】
本発明に係る紐の締緩手段の環状レール内に、靴紐を締め付けや緩めてもよいが、靴紐に限定されなく、一般的な手袋、束縛手袋、ズボン、帽子及びヘルメット等の紐を結ぶ必要のある生活又はケア用品にも好適に用いられる。本発明を実施形態で前述の通り開示したが、これは本発明を限定するためのものではなく、当業者であれば、本発明の精神と範囲から逸脱しない限り、各種の変更や修正を加えることができる。従って、本発明の保護範囲は、特許請求の範囲で指定した内容を基準とするものである。
【００２８】
上記本発明の実施形態から、本発明を適用すれば、下記メリットを有することが判明される。
【００２９】
本発明の紐の締緩手段は、正逆方向に回転の操作によって紐を締め付けや緩んで更に調節することができ、且つ外力による操作がない場合、紐の逆方向の緩みを防止することができる。従来の靴紐を結ばなければいけない面倒はなく、過去の靴紐の緩み又は残り長さが長すぎることによる危ない状況を効果的に避けることができる
【００３０】
本発明に係る紐の締緩手段の環状レール内に、靴紐を締め付けや緩めてもよいが、靴紐に限定されなく、一般的な手袋、束縛手袋、ズボン、帽子及びヘルメット等の紐を結ぶ必要のある生活又はケア用品にも好適に用いられる。
【符号の説明】
【００３１】
１００  ベース
１１０  紐孔
２００  環状部材
２１０  開口
２２０  スロット
３００  紐の締緩部材
３１０  第１の結合部
３２０  環状レール
４００  連動部材
４１０  第２の結合部
４２０  弾性アーム
４２１  当接端
４２２  バンプ
４３０  第１の組合部
５００  カバー
５１０  第２の組合部
６００  収容空間
Ｒ１  第１の方向
Ｒ２  第２の方向
【図１】
2016539750.tif 000003
【図２】
2016539750.tif 000004
【図３】
2016539750.tif 000005
【図４】
2016539750.tif 000006
【図５】
2016539750.tif 000007
【図６】
2016539750.tif 000008
【図７】
2016539750.tif 000009
【図８】
2016539750.tif 000010
【図９】
2016539750.tif 000011
【国際調査報告】
2016539750.tif 000012
2016539750.tif 000013
2016539750.tif 000014
2016539750.tif 000015